(57)【要約】【課題】  スプールの体格を小型にしつつ弁部を増やすことが可能なスプール弁を提供する。【解決手段】  スリーブ３１内にスプール５０を軸方向に移動可能に収容したスプール弁３０である。スプール５０は、その軸方向一端面５０１に直近のランド５４を第一ランドとして有する。スリーブ３１は、流体が流通するポート３７，３８を形成する周壁３３を有する。周壁３３は、第一ランド５４におけるスプール一端面５０１側の端部５４１を自由端部とする形態で第一ランド５４の外周を摺動可能に支持し、ポート３７，３８を通じた流体流れを制御する弁部６０を第一ランド５４の自由端部５４１と共に構成する。【選択図】    図１
2005030548.tif 000002
【特許請求の範囲】
【請求項１】
スリーブ内にスプールを軸方向に移動可能に収容するスプール弁であって、
前記スプールは、その軸方向一端面に直近のランドを第一ランドとして有し、
前記スリーブは、流体が流通するポートを形成する周壁を有し、
前記周壁は、前記第一ランドにおける前記スプール一端面側の端部を自由端部とする形態で前記第一ランドの外周を摺動可能に支持し、前記ポートを通じた流体流れを制御する弁部を前記自由端部と共に構成することを特徴とするスプール弁。
【請求項２】
前記周壁は、その内壁面と外壁面との間を径方向に貫く前記ポートを形成するポート壁面を有し、
前記第一ランドは、大径外周面、小径外周面、並びに前記大径外周面と前記小径外周面とを階段状に繋ぐ階段面を有しており、
前記小径外周面及び前記階段面は前記自由端部に形成され、前記小径外周面が径方向外側の前記内壁面との間にクリアランスを形成し且つ前記階段面が前記ポート壁面と軸方向において向き合うことで前記弁部が構成されることを特徴とする請求項１に記載のスプール弁。
【請求項３】
前記階段面は前記スプールの所定の移動位置において前記ポート壁面に当接することを特徴とする請求項２に記載のスプール弁。
【請求項４】
前記周壁は、大径内壁面、小径内壁面、並びに前記大径内壁面と前記小径内壁面とを階段状に繋ぐ階段壁面を有しており、
前記自由端部の外周面が径方向外側の前記大径内壁面との間にクリアランスを形成し且つ前記自由端部の端面が前記階段壁面と軸方向において向き合うことで前記弁部が構成されることを特徴とする請求項１に記載のスプール弁。
【請求項５】
前記自由端部の端面は前記スプールの所定の移動位置において前記階段壁面に当接することを特徴とする請求項４に記載のスプール弁。
【請求項６】
前記スプールは、その軸方向他端面に直近のランドであって前記第一ランドとは別のランドを第二ランドとして有しており、
流体圧により前記自由端部に作用する軸方向力と逆向きの力を流体圧により前記第二ランドに作用させることを特徴とする請求項１〜５のいずれか一項に記載のスプール弁。
【請求項７】
請求項１〜６のいずれか一項に記載のスプール弁と、
前記スプール弁のスプールを軸方向に駆動するソレノイドを備えることを特徴とする電磁弁。
【発明の詳細な説明】
【技術分野】
【０００１】
本発明は、スプール弁並びにそれを備えた電磁弁に関する。
【背景技術】
【０００２】
例えば特許文献１に開示されているように、スリーブ内にスプールを軸方向に移動可能に収容するスプール弁を備えた電磁弁が公知である。特許文献１に開示のスプール弁では、スプールの反ソレノイド側の端面（以下、スプール端面という）に直近のランドにおいてスプール端面側のランド端部をスリーブの周壁で支持している。
【０００３】
【特許文献１】特開２００１−１０８１３５公報
【発明の開示】
【発明が解決しようとする課題】
【０００４】
しかし特許文献１に開示のスプール弁では、スプール端面に直近のランドにおけるスプール端面側のランド端部が周壁で支持されるため、そのスプール端面側のランド端部を弁部として利用することができない。そのため、流体流れを制御する弁部をスプール弁において増やすには、スプールのランド数を増加しそれに応じてスリーブの全長を延ばす必要があり、スプール弁の体格が大きくなってしまう。
上記問題に鑑み、本発明の目的は、スプールの体格を小型にしつつ弁部を増やすことが可能なスプール弁並びにそれを備えた電磁弁を提供することにある。
【課題を解決するための手段】
【０００５】
請求項１〜６に記載の発明によると、スリーブの周壁は、第一ランドにおけるスプール一端面側の端部を自由端部とする形態で第一ランドの外周を摺動可能に支持し、周壁のポートを通じた流体流れを制御する弁部を自由端部と共に構成する。このように、自由端部とした第一ランドのスプール一端面側の端部を利用して弁部を構成するので、スプール弁の体格を小型にしつつ弁部を増やすことができる。弁部が増えることで、スプール弁により制御可能な流体流量が増大する。
【０００６】
請求項２に記載の発明によると、周壁は、その内壁面と外壁面との間を径方向に貫くポートを形成するポート壁面を有し、第一ランドは、大径外周面、小径外周面、並びに大径外周面と小径外周面とを階段状に繋ぐ階段面を有する。そして、小径外周面及び階段面は弁部を構成する自由端部に形成され、小径外周面が径方向外側の内壁面との間にクリアランスを形成し且つ階段面がポート壁面と軸方向において向き合うことで弁部が構成される。小径外周面と内壁面との間にクリアランスが形成されるので、軸ずれにより自由端部が傾いて周壁に衝突することを防止できる。この衝突防止効果により、スプールの軸方向移動がスムーズとなり、スプール弁の高応答性を実現できる。また、軸方向において向き合う階段面とポート壁面との距離がスプールの移動により縮小することで、階段面とポート壁面との間にシール性を持たせることができる。したがって、小径外周面と内壁面との間のシール性がクリアランスの形成により低下したとしてもその低下分を階段面とポート壁面との間のシール性により補うことで、弁部全体としてのシール性を確保できる。
請求項３に記載の発明によると、階段面はスプールの所定の移動位置においてポート壁面に当接する。階段面が軸方向において向き合うポート壁面に当接するので、スプールの軸方向移動が制限される。
【０００７】
請求項４に記載の発明によると、周壁は、大径内壁面、小径内壁面、並びに大径内壁面と小径内壁面とを階段状に繋ぐ階段壁面を有する。そして、弁部を構成する自由端部の外周面が径方向外側の大径内壁面との間にクリアランスを形成し且つ自由端部の端面が階段壁面と軸方向において向き合うことで弁部が構成される。自由端部外周面と大径内壁面との間にクリアランスが形成されるので、軸ずれにより自由端部が傾いて周壁に衝突することを防止できる。この衝突防止効果により、スプールの軸方向移動がスムーズとなり、スプール弁の高応答性を実現できる。また、軸方向において向き合う自由端部端面と階段壁面との距離がスプールの移動により縮小することで、自由端部端面と階段壁面との間にシール性を持たせることができる。したがって、自由端部外周面と大径内壁面との間のシール性がクリアランスの形成により低下したとしてもその低下分を自由端部端面と階段壁面との間のシール性により補うことで、弁部全体としてのシール性を確保できる。
請求項５に記載の発明によると、自由端部の端面はスプールの所定の移動位置において階段壁面に当接する。自由端部端面が軸方向において向き合う階段壁面に当接するので、スプールの軸方向移動が制限される。
【０００８】
請求項６に記載の発明によると、スプールは、その軸方向他端面に直近のランドであって第一ランドとは別のランドを第二ランドとして有する。そして、流体圧により第一ランドの自由端部に作用する軸方向力と逆向きの力を流体圧により第二ランドに作用させる。これにより、スプールに作用する力のバランスを取りつつ、自由端部が流体圧により受ける軸方向力を第二ランドが流体圧により受ける力により低減乃至は相殺することが可能になり、スプールを安定した状態で保持できる。また、スプールの軸方向移動がスムーズとなり、スプール弁の高応答性を実現できる。
【０００９】
請求項７に記載の発明は、請求項１〜６のいずれか一項に記載の発明であるスプール弁を備えた電磁弁であるので、上述した請求項１〜６のいずれか一項に記載の発明と同様の効果を享受することができる。
【発明を実施するための最良の形態】
【００１０】
以下、本発明の複数の実施形態を図面に基づいて説明する。
（第一実施形態）
本発明の第一実施形態による電磁弁を図１、２に示す。本実施形態の電磁弁１は、ソレノイド１０及びスプール弁３０からなる。ソレノイド１０のヨーク１１の一端部にスプール弁３０のスリーブ３１の一端部が固定されている。スプール弁３０は、そのスプール５０がソレノイド１０のムービングコア１３と共に軸方向移動することで、バルブリフト調整装置への作動油の供給量を制御する。
【００１１】
ソレノイド１０は、ヨーク１１、ステータ１２、ムービングコア１３、カップガイド１８、シャフト１４、ボビン１５、コイル１６及びターミナル１７を有している。ヨーク１１、ステータ１２及びムービングコア１３は磁性材で形成され、磁気回路を構成している。ヨーク１１は二重円筒状に形成され、内筒部１１１により有底円筒状のカップガイド１８を外周側から保持している。カップガイド１８は、円筒状のムービングコア１３を軸方向に往復移動可能に外周側から支持している。シャフト１４の一端はムービングコア１３の内孔に圧入固定され、シャフト１４の他端はスプール５０の端面５０２に当接している。ステータ１２は円筒状に形成され、軸方向において内筒部１１１と間隔をあけて対向している。ヨーク１１の外筒部１１２に固定されるステータ１２の反内筒部側端部は、ボビン１５との間にカップガイド１８の開口側端部を挟んで固定している。ステータ１２内をシャフト１４が貫通しており、シャフト１４とステータ１２との間はシールされている。ボビン１５とそれに巻回されたコイル１６は、外筒部１１２と内筒部１１１の間並びに外筒部１１２とステータ１２との間に配置されている。コイル１６はターミナル１７と電気的に接続されており、外部の電源回路からターミナル１７を通じて電流を供給される。コイル１６の通電時（以下、コイル通電時という）にステータ１２とムービングコア１３との間には、ムービングコア１３をステータ側へ即ち本実施形態ではスプール弁側へ吸引する力が発生する。この磁気吸引力によりムービングコア１３とシャフト１４は、図１に示すようにスプール弁側へ移動してスプール５０を反ソレノイド側へ押圧する。
【００１２】
スプール弁３０は、付勢手段としてのスプリング７０、スリーブ３１及びスプール５０を有している。
スプリング７０は圧縮コイルばねで構成されている。スプリング７０は、一端部がスリーブ３１の反ソレノイド側端部の底壁３２に係止され、他端部がスプールの第一ランド５４に係止されることで、スプール５０をソレノイド側に付勢している。コイル１６の非通電時（以下、コイル非通電時という）にスプール５０は、スプリング７０の付勢力により図２に示す如くソレノイド側に移動してシャフト１４及びムービングコア１３を反スプール弁側へ押圧する。
【００１３】
スリーブ３１は概ね有底円筒状に形成され、周壁３３内にスプール５０を軸方向移動可能に収容している。周壁３３には、その内壁面と外壁面との間を径方向に貫くポート３５〜４０が軸方向の複数箇所にそれぞれ形成されている。本実施形態では、スリーブ３１の反ソレノイド側端面５０１から端面５０２側に向かう軸方向において、ドレンポート３８、ステージポート３７、ポンプポート３５、ステージポート３６、ドレンポート３９、サブドレンポート４０がこの順で設けられている。ポンプポート３５は、エンジンのポンプ室と接続されている。ステージポート３６，３７は、バルブリフト調整装置の油圧室としてのステージ室に接続されている。ドレンポート３８，３９は、油タンク等の外部ドレンと接続されている。サブドレンポート４０は、ドレンポート３９と外部ドレンを繋ぐドレン油路の中途部に接続されている。またサブドレンポート４０は、周壁３３が内壁面により形成する空間４１１及びステータ１２が反内筒部側端部の内壁面により形成する空間４１２からなるサブドレン室４１に常時連通している。
【００１４】
スプール５０は串形に形成され、軸方向において互いに離間するランド５４，５５を有している。端面５０１に直近の第一ランド５４において端面５０１側の端部５４１は、ステージポート３７とドレンポート３８の間の流体流れを制御する弁部６０を周壁３３と共に構成している。また、第一ランド５４において端面５０２側の端部５４２は、ステージポート３６とポンプポート３５の間の流体流れを制御する弁部６１を周壁３３と共に構成している。端面５０２に直近の第二ランド５５において端面５０１側の端部５５１は、ステージポート３６とドレンポート３９の間の流体流れを制御する弁部６２を周壁３３と共に構成している。また第二ランド５５は、軸方向において端部５５１側から他端部５５２側に向かって段階的に縮径しており、階段面５５４、小径外周面５５５及びスプール端面５０２に一致する端部５５２の端面をサブドレン室４１に露出させている。
【００１５】
図１に示すようにコイル通電時には、第一ランド５４が弁部６０を閉じると共に弁部６１を開き、また第二ランド５５が弁部６２を閉じる位置にスプール５０が定位する。そのため、ポンプポート３５がステージポート３６と連通して、ポンプ室内の高圧の作動油がバルブリフト調整装置のステージ室に供給される。このとき第一ランド５４の端部５４２は、ポンプポート３５からステージポート３６に流れる作動油の油圧により端面５０２側から端面５０１側に向かう軸方向力を受ける。またこのとき第二ランド５５の端部５５１は、ポンプポート３５からステージポート３６に流れる作動油の油圧により端面５０１側から端面５０２側に向かう軸方向力を受ける。コイル通電時におけるスプール５０の定位位置は、底壁３２に固定されたストッパ部材７２にスプール５０の端面５０１が当接することで確定する。
【００１６】
図２に示すようにコイル非通電時には、第一ランド５４が弁部６０を開くと共に弁部６１を閉じ、また第二ランド５５が弁部６２を開く位置にスプール５０が定位する。そのため、ステージポート３７がドレンポート３８と連通すると共にステージポート３６がドレンポート３９と連通して、作動油がバルブリフト調整装置のステージ室から外部ドレン及びサブドレン室４１に逃がされる。このとき第一ランド５４の端部５４１は、ステージポート３７からドレンポート３８に流れる作動油の油圧により端面５０１側から端面５０２側に向かう軸方向力を受ける。それと共に第一ランド５４の端部５４２は、ステージポート３６からドレンポート３９に流れる作動油の油圧により端面５０２側から端面５０１側に向かう軸方向力を受ける。またこのとき第二ランド５５の端部５５１は、ステージポート３６からドレンポート３９に流れる作動油の油圧により端面５０１側から端面５０２側に向かう軸方向力を受ける。それと共に第二ランド５５の階段面５５４及び端部５５２の端面は、ドレンポート３９からドレン油路及びサブドレンポート４０を介してサブドレン室４１に流入した作動油の油圧により端面５０２側から端面５０１側に向かう軸方向力を受ける。コイル非通電時におけるスプール５０の定位位置は、ランド５４，５５に作用する上記各軸方向力と、スプリング７０の付勢力との釣り合によって確定する。
【００１７】
次に、第一ランド５４の構成並びに周壁３３による第一ランド５４の支持構造について詳細に説明する。
第一ランド５４は、端部５４１側から端部５４２側に向かう軸方向において段階的に拡径しており、外径が相違する二つの外周面５４３，５４４、並びに外周面５４３，５４４間を階段状に繋ぐ階段面５４５を形成している。ここで、小径外周面５４３及び階段面５４５は端部５４１に形成され、大径外周面５４４は端部５４２を含む部位に形成されている。
【００１８】
周壁３３は、ステージポート３７を軸方向において挟む二つの壁部３３１，３３２を有している。具体的に第一壁部３３１はステージポート３７よりソレノイド側に設けられ、第二壁部３３２はステージポート３７より反ソレノイド側に設けられている。第一壁部３３１の内壁面３３１ａの内径は、内壁面３３１ａが大径外周面５４４と摺接可能な大きさに設定され、第二壁部３３２の内壁面３３２ａの内径は、大径外周面５４４の外径よりも小さく且つ小径外周面５４３の外径よりも大きく設定されている。かかる内径設定により、スプール５０がコイル通電時及び非通電時の定位位置間を移動するときには、内壁面３３１ａが大径外周面５４４と摺接し小径外周面５４３とは摺接せず、また内壁面３３２ａが大径外周面５４４及び小径外周面５４３の双方に摺接しない。即ち周壁３３は、小径外周面５４３及び階段面５４５が設けられた端部５４１を自由端部とする形態で、大径外周面５４４のみを摺動可能に支持している。
【００１９】
上述した内壁面３３２ａの内径設定により、スプール５０がコイル通電時の定位位置及びその近傍にあるときには、内壁面３３２ａが小径外周面５４３の径方向外側を囲み小径外周面５４３との間に円環状のクリアランス６４（図１（Ｂ）参照）を形成する。クリアランス６４は、外周を支持されない自由端部５４１が軸ずれにより傾いても自由端部５４１の小径外周面５４３や端面が第二壁部３３２に衝突することを防止可能且つ内壁面３３２ａと小径外周面５４３との間に所望のシール性を確保可能な大きさに形成される。また、上述した内壁面３３２ａの内径設定により、スプール５０がコイル通電時及び非通電時の定位位置間を移動するときには、第二壁部３３２においてステージポート３７を形成するポート壁面３３２ｂが軸方向において階段面５４５と向き合う。特にコイル通電時には、ポート壁面３３２ｂと階段面５４５との距離が縮まり微小となるため、ポート壁面３３２ｂと階段面５４５との間にシール性が発現される。そのため、自由端部５４１と第二壁部３３２との衝突防止効果を高めるために内壁面３３２ａと小径外周面５４３との間のシール性（以下、径方向シール性という）を犠牲にしても、犠牲にした分をポート壁面３３２ｂと階段面５４５との間のシール性（以下、軸方向シール性という）により補うことができる。図３は、軸方向シール性により径方向シール性が補われることを具体例により示している。即ち図３の例では、油圧が上昇するにつれ、破線グラフで示す径方向シール性が大きく低下しているが、一点鎖線グラフで示す軸方向シール性はその低下を抑えられている。そのため図３の例では実線グラフで示すように、径方向シール性と軸方向シール性とを組み合わせたトータルのシール性が径方向シール性単独の場合に比べ向上している。このように小径外周面５４３及び階段面５４５が設けられる自由端部５４１と、内壁面３３２ａ及びポート壁面３３２ｂが設けられる第二壁部３３２とは、コイル通電時に高いシール性を実現する弁部６０を構成している。
【００２０】
以上説明した本実施形態では、第一ランド５４においてスプール端面５０１側の端部５４１を自由端部として弁部６０の構成に利用することで、従来よりも少ないランド数で多くの弁部の配設を達成している。したがって本実施形態によれば、スプール弁３０ひいては電磁弁１の小型化を図りつつ、制御可能な流体流量の増大を実現できる。
【００２１】
また、本実施形態ではコイル非通電時に、スプール一端面５０１に直近となる第一ランド５４においてその自由端部５４１に作用する軸方向力とは逆向きの力を、スプール他端面５０２に直近となる第二ランド５５に作用させている。これにより、スプール５０に作用する力のバランスを取りながら、自由端部５４１で弁部６０を構成したことによる当該端部５４１への作用力を第二ランド５５への作用力により低減乃至は相殺している。したがって、スプール５０を安定した状態で保持でき、またスプール５０の軸方向移動がスムーズとなることで電磁弁１の高応答性を実現できる。
さらに本実施形態では、第一ランド５４と第二壁部３３２との間にクリアランス６４を形成して自由端部５４１の第二壁部３３２への衝突を防止しており、これによってもスプール５０の移動がスムーズとなり、電磁弁１の高応答性が実現される。
【００２２】
（第二実施形態）
本発明の第二実施形態による電磁弁を図４に示す。第一実施形態と実質的に同一の構成部分には同一符号を付す。
本実施形態の電磁弁では、コイル通電時において第二壁部３３２のポート壁面３３２ｂに第一ランド５４の階段面５４５が当接する。これにより、ポート壁面３３２ｂ側へのそれ以上の移動を第一ランド５４が止められ、スプール５０の軸方向移動が制限される。したがって、ストッパ部材７２の如き移動制限用部品を設けることなく、スプール５０の移動を制限できる。
【００２３】
（第三、第四及び第五実施形態）
本発明の第三、第四及び第五実施形態による電磁弁をそれぞれ図５、６、７に示す。第一実施形態と実質的に同一の構成部分には同一符号を付す。
図５に示す第三実施形態の電磁弁において、スプール端面５０１に直近の第一ランド５６は、軸方向全域でほぼ一定の外径を有している。ステージポート３７よりソレノイド側に設けられる第一壁部３３３の内壁面３３３ａの内径は、内壁面３３３ａが第一ランド５６の外周面５６３と摺接可能な大きさに設定されている。内壁面３３３ａの軸方向長さ及び位置は、スプール５０の全移動範囲において、第一ランド５６のスプール端面５０１側の端部５６１が内壁面３３３ａの径方向内側に入って内壁面３３３ａと接触しないように設定されている。ステージポート３７より反ソレノイド側に設けられる第二壁部３３４の内壁は、ソレノイド側から反ソレノイド側に向かう軸方向において段階的に縮径しており、内径が相違する二つの内壁面３３４ａ，３３４ｂ、並びに内壁面３３４ａ，３３４ｂ間を階段状に繋ぐ階段壁面３３４ｃを形成している。大径内壁面３３４ａの内径は第一ランド５６の外周面５６３の外径よりも大きく設定され、小径内壁面３３４ｂの内径は外周面５６３の外径よりも小さく設定されている。以上の構成により、スプール５０がコイル通電時及び非通電時の定位位置間を移動するときには、内壁面３３３ａが第一ランド５６の外周面５６３に摺接し、また大径内壁面３３４ａが外周面５６３に摺接しない。即ち周壁３３は、スプール端面５０１側の端部５６１を自由端部とする形態で、第一ランド５６の端部５６１を除く部位の外周を第一壁部３３３により摺動可能に支持している。
【００２４】
上述した大径内壁面３３４ａの内径設定により、スプール５０がコイル通電時の定位位置及びその近傍にあるときには、大径内壁面３３４ａが第一ランド５６の端部５６１の径方向外側を囲み第一ランド５６の外周面５６３との間に円環状のクリアランス６６（図５（Ａ）参照）を形成する。クリアランス６６は、自由端部５６１が傾いて第二壁部３３４に衝突することを防止可能且つ内壁面３３４ａと外周面５６３との間に所望のシール性を確保可能な大きさに形成される。また、上述した二つの内壁面３３４ａ，３３４ｂの内径設定により、スプール５０がコイル通電時及び非通電時の定位位置間を移動するときには、自由端部５６１の端面５６１ａが軸方向において階段壁面３３４ｃと向き合う。特にコイル通電時には、自由端部端面５６１ａと階段壁面３３４ｃとの距離が縮まり微小となるため、自由端部端面５６１ａと階段壁面３３４ｃとの間にシール性が発現される。そのため、自由端部５６１と第二壁部３３４との衝突防止効果を高めるために大径内壁面３３４ａと外周面５６３との間のシール性を犠牲にしても、犠牲にした分を自由端部端面５６１ａと階段壁面３３４ｃとの間のシール性により補うことができる。このように自由端部５６１と第二壁部３３４とは、コイル通電時に高いシール性を実現する弁部６０を構成している。
【００２５】
以上説明した第三実施形態でも、第一ランド５６においてスプール端面５０１側の端部５６１を自由端部として弁部６０の構成に利用することで、従来よりも少ないランド数で多くの弁部の配設を達成している。したがって第三実施形態によっても、電磁弁１の小型化を図りつつ、制御可能な流体流量の増大を実現できる。さらに第三実施形態では、第一ランド５６と第二壁部３３４との間のクリアランス６６が実現する衝突防止効果により、スプール５０の移動がスムーズとなり、電磁弁１の高応答性が実現される。
【００２６】
図６に示す第四実施形態の電磁弁では、第三実施形態の電磁弁においてコイル通電時に第一ランド５６の自由端部５６１の端面５６１ａが第二壁部３３４の階段壁面３３４ｃに当接するようにしている。これにより、階段壁面３３４ｃ側へのそれ以上の移動を第一ランド５６が止められてスプール５０の軸方向移動が制限されるので、ストッパ部材７２の如き移動制限用部品を設けることなく、スプール５０の移動を制限できる。
【００２７】
図７に示す第五実施形態の電磁弁では、第四実施形態の電磁弁の第二壁部３３４において大径内壁面３３４ａ及び階段壁面３３４ｃを省き、ステージポート３７を形成するポート壁面３３４ｄにより階段壁面３３４ｃと同一の機能を果たしている。このような第五実施形態によれば、自由端部端面５６１ａとポート壁面３３４ｄとの間のシール性を弁部６０のシール性として確保でき、また自由端部端面５６１ａとポート壁面３３４ｄとの当接により移動制限用部品の追加なくスプール移動を制限できる。
【００２８】
尚、上述した複数の実施形態では、スプール弁３０とスプール駆動用のソレノイド１０とを備えた電磁弁に本発明を適用した例について説明したが、ソレノイドを組み合わせないスプール弁に本発明を適用することができる。
【図面の簡単な説明】
【００２９】
【図１】本発明の第一実施形態による電磁弁を示す断面図（Ａ）及び（Ａ）におけるＢ部の拡大図（Ｂ）である。
【図２】本発明の第一実施形態による電磁弁を示す断面図（Ａ）及び（Ａ）におけるＢ部の拡大図（Ｂ）である。
【図３】本発明の第一実施形態による電磁弁の特性を示すグラフである。
【図４】本発明の第二実施形態による電磁弁を示す図であって、図１（Ｂ）に対応する断面図である。
【図５】本発明の第三実施形態による電磁弁を示す図であって、図１（Ｂ）に対応する断面図（Ａ）及び図２（Ｂ）に対応する断面図（Ｂ）である。
【図６】本発明の第四実施形態による電磁弁を示す図であって、図１（Ｂ）に対応する断面図である。
【図７】本発明の第五実施形態による電磁弁を示す図であって、図１（Ｂ）に対応する断面図である。
【符号の説明】
【００３０】
１  電磁弁、１０  ソレノイド、３０  スプール弁、３１  スリーブ、３３  周壁、３５  ポンプポート、３６，３７  ステージポート、３８，３９  ドレンポート、４０  サブドレンポート、４１  サブドレン室、５０  スプール、５４，５６  第一ランド、５５  第二ランド、６０，６１，６２  弁部、６４，６６  クリアランス、７２  ストッパ部材、３３１，３３３  第一壁部、３３２，３３４  第二壁部、３３２ａ  内壁面、３３２ｂ  ポート壁面、３３４ａ  大径内壁面、３３４ｂ  小径内壁面、３３４ｃ  階段壁面、５０１，５０２  スプール端面、５４１，５６１  自由端部、５４３  小径外周面、５４４  大径外周面、５４５  階段面、５６１ａ  自由端部端面、５６３  外周面
【図１】
2005030548.tif 000003
【図２】
2005030548.tif 000004
【図３】
2005030548.tif 000005
【図４】
2005030548.tif 000006
【図５】
2005030548.tif 000007
【図６】
2005030548.tif 000008
【図７】
2005030548.tif 000009